(57)【要約】【課題】ラミネータの設定作業温度を維持可能な加熱装置の提供。【解決手段】絶縁材の間の中間層にローパワー電熱線とハイパワー電熱線を設け、ハイパワー電熱線を設定温度に加熱した後に電源をオフし、ローパワー電熱線の電源をオンすることで恒温を維持する。設定温度より低い時は、ローパワー電熱線の電源をオフし、ハイパワー電熱線の電源をオンして設定温度まで加熱し、この循環により設定されたパラメータ温度値を保持する。【選択図】図１
0003138033.tif 000002
【実用新案登録請求の範囲】
【請求項１】
絶縁材の間の中間層にローパワー電熱線とハイパワー電熱線を設け、ハイパワー電熱線を設定温度に加熱した後に電源をオフし、ローパワー電熱線の電源をオンすることで恒温を維持する。設定温度より低い時は、ローパワー電熱線の電源をオフし、ハイパワー電熱線の電源をオンして設定温度まで加熱し、この循環により設定されたパラメータ温度値を保持するよう構成したことを特徴とする、ラミネータの設定作業温度を維持可能な加熱装置。
【請求項２】
前記絶縁材を少なくとも２片の雲母片としたことを特徴とする、請求項１記載のラミネータの設定作業温度を維持可能な加熱装置。
【請求項３】
前記ハイパワー電熱線をローパワー電熱線より太い電熱線で構成したことを特徴とする、請求項１記載のラミネータの設定作業温度を維持可能な加熱装置。
【請求項４】
前記ローパワー電熱線をハイパワー電熱線より細い電熱線で構成したことを特徴とする、請求項１記載のラミネータの設定作業温度を維持可能な加熱装置。
【考案の詳細な説明】
【技術分野】
【０００１】
本考案はラミネータに係り、特に、ラミネータの設定作業温度を維持可能な加熱装置に関する。
【背景技術】
【０００２】
周知のとおり、ラミネータ（ｌａｍｉｎａｔｏｒ）は例えば写真、証明書等の重要な文献とされるラミネート品（ｌａｍｉｎａｔｅｄ  ｐｒｏｄｕｃｔ）をフィルムで包んだ後、ラミネータの加熱装置により熱エネルギーをプレスロールに輻射、伝導し、フィルムに包んだラミネート品を、高熱のプレスロールで加圧し、フィルムと融合させて、ラミネート品を封止保護するのに用いられる。
【０００３】
上述のラミネート過程に、伝統的なラミネータの最も困った二つの欠点として、予熱時間が長すぎることと、プレスロール温度の不均一がある。そのうちプレスロール温度の不均一はラミネート品質不良をもたらし、予熱時間が５分以上かかることは使用者をいらつかせる。
【考案の開示】
【考案が解決しようとする課題】
【０００４】
本考案の主要な目的は一種のラミネータの設定作業温度を維持可能な加熱装置を提供することにあり、それは予熱時間の縮減により使用者が最短時間内に即刻ラミネータを操作できるようにするものとする。
【０００５】
本考案のもう一つの目的は一種のラミネータの設定作業温度を維持可能な加熱装置を提供することにあり、それは均一なプレスロール温度により使用者に良好なラミネート品質を提供し、温度が低すぎることによる霧状、気泡を形成せず、或いは温度が高すぎることによる火傷を負わせないものとする。
【０００６】
上述の目的を達成し並びに周知の技術の欠点を解決するため、本考案は一種のラミネータの設定作業温度を維持可能な加熱装置を提供し、それは、絶縁材の間の中間層にローパワー電熱線とハイパワー電熱線を設け、ハイパワー電熱線を設定温度に加熱した後に電源をオフし、ローパワー電熱線の電源をオンすることで恒温を維持する。設定温度より低い時は、ローパワー電熱線の電源をオフし、ハイパワー電熱線の電源をオンして設定温度まで加熱し、この循環により設定されたパラメータ温度値を保持する。
【課題を解決するための手段】
【０００７】
請求項１の考案は、絶縁材の間の中間層にローパワー電熱線とハイパワー電熱線を設け、ハイパワー電熱線を設定温度に加熱した後に電源をオフし、ローパワー電熱線の電源をオンすることで恒温を維持する。設定温度より低い時は、ローパワー電熱線の電源をオフし、ハイパワー電熱線の電源をオンして設定温度まで加熱し、この循環により設定されたパラメータ温度値を保持するよう構成したことを特徴とする、ラミネータの設定作業温度を維持可能な加熱装置としている。
請求項２の考案は、前記絶縁材を少なくとも２片の雲母片としたことを特徴とする、請求項１記載のラミネータの設定作業温度を維持可能な加熱装置としている。
請求項３の考案は、前記ハイパワー電熱線をローパワー電熱線より太い電熱線で構成したことを特徴とする、請求項１記載のラミネータの設定作業温度を維持可能な加熱装置としている。
請求項４の考案は、前記ローパワー電熱線をハイパワー電熱線より細い電熱線で構成したことを特徴とする、請求項１記載のラミネータの設定作業温度を維持可能な加熱装置としている。
【考案の効果】
【０００８】
本考案は一種のラミネータの設定作業温度を維持可能な加熱装置を提供し、それは予熱時間の縮減により使用者が最短時間内に即刻ラミネータを操作できるようにするほか、それは均一なプレスロール温度により使用者に良好なラミネート品質を提供し、温度が低すぎることによる霧状、気泡を形成せず、或いは温度が高すぎることにより使用者に火傷を負わせることがなく、ラミネート品に波打ちを形成しない。
【考案を実施するための最良の形態】
【０００９】
図１は本考案のラミネータの加熱装置の第１実施例の分解立体図である。それは上、中、下の３片の例えば雲母片のような絶縁材１ａ、１ｂ、１ｃ及び絶縁材の中間に挟まれて帯状を呈するローパワー電熱線２ａとハイパワー電熱線２ｂを包含する。このローパワー電熱線２ａ及びハイパワー電熱線２ｂの両端は導線３で電源（図示せず）に接続されている。上述の各部品が例えばリベット４で一体に固定される。
【００１０】
具体的な実施時には、ハイパワー電熱線２ｂを設定温度まで加熱した後、電源をオフし、ローパワー電熱線２ａの電源をオンして恒温を維持し、ラミネート作業が行えるようにする。ラミネート作業温度が設定温度より低い時は、ローパワー電熱線２ａの電源をオフし、ハイパワー電熱線２ｂの電源をオンして設定温度まで加熱し、この循環により設定されたパラメータ温度値を保持し、これによりラミネート品に温度が低すぎることによる霧状、気泡を形成せず、或いは温度が高すぎることにより使用者に火傷を負わせたりラミネート品に波打ちを形成したりすることがない。
【００１１】
図２は本考案のラミネータの加熱装置の第２実施例の分解立体図であり、その上述の第１実施例との違いはローパワー電熱線２ａとハイパワー電熱線２ｂが間隔配列方式で一つに組み合わされ、並びに上、下２片の例えば雲母片のような絶縁材１ａ、１ｃに挟まれていることである。
【００１２】
局部拡大図に示されるように、比較的太いハイパワー電熱線２ｂと比較的細いローパワー電熱線２ａは相互に間隔をあけて配列される。ハイパワー電熱線２ｂを設定温度まで加熱した後、電源をオフし、ローパワー電熱線２ａの電源をオンして恒温を維持し、ラミネート作業が行えるようにする。ラミネート作業温度が設定温度より低い時は、ローパワー電熱線２ａの電源をオフし、ハイパワー電熱線２ｂの電源をオンして設定温度まで加熱し、この循環により設定されたパラメータ温度値を保持する。
【図面の簡単な説明】
【００１３】
【図１】本考案のラミネータの加熱装置の第１実施例の分解立体図である。
【図２】本考案のラミネータの加熱装置の第２実施例の分解立体図である。
【符号の説明】
【００１４】
１ａ、１ｂ、１ｃ  絶縁材
２ａ  ローパワー電熱線
２ｂ  ハイパワー電熱線
３  導線
４  リベット
【図１】
0003138033.tif 000003
【図２】
0003138033.tif 000004
【手続補正書】
【提出日】平成19年10月15日(2007.10.15)
【手続補正１】
【補正対象書類名】実用新案登録請求の範囲
【補正対象項目名】全文
【補正方法】変更
【補正の内容】
【実用新案登録請求の範囲】
【請求項１】
絶縁材の間の中間層にローパワー電熱線とハイパワー電熱線を設け、ハイパワー電熱線を設定温度に加熱した後に電源をオフし、ローパワー電熱線の電源をオンすることで恒温を維持し、設定温度より低い時は、ローパワー電熱線の電源をオフし、ハイパワー電熱線の電源をオンして設定温度まで加熱し、この循環により設定されたパラメータ温度値を保持するよう構成したことを特徴とする、ラミネータの設定作業温度を維持可能な加熱装置。
【請求項２】
前記絶縁材を少なくとも２片の雲母片としたことを特徴とする、請求項１記載のラミネータの設定作業温度を維持可能な加熱装置。
【請求項３】
前記ハイパワー電熱線をローパワー電熱線より太い電熱線で構成したことを特徴とする、請求項１記載のラミネータの設定作業温度を維持可能な加熱装置。
【請求項４】
前記ローパワー電熱線をハイパワー電熱線より細い電熱線で構成したことを特徴とする、請求項１記載のラミネータの設定作業温度を維持可能な加熱装置。
【手続補正２】
【補正対象書類名】明細書
【補正対象項目名】０００７
【補正方法】変更
【補正の内容】
【０００７】
請求項１の考案は、絶縁材の間の中間層にローパワー電熱線とハイパワー電熱線を設け、ハイパワー電熱線を設定温度に加熱した後に電源をオフし、ローパワー電熱線の電源をオンすることで恒温を維持し、設定温度より低い時は、ローパワー電熱線の電源をオフし、ハイパワー電熱線の電源をオンして設定温度まで加熱し、この循環により設定されたパラメータ温度値を保持するよう構成したことを特徴とする、ラミネータの設定作業温度を維持可能な加熱装置としている。
請求項２の考案は、前記絶縁材を少なくとも２片の雲母片としたことを特徴とする、請求項１記載のラミネータの設定作業温度を維持可能な加熱装置としている。
請求項３の考案は、前記ハイパワー電熱線をローパワー電熱線より太い電熱線で構成したことを特徴とする、請求項１記載のラミネータの設定作業温度を維持可能な加熱装置としている。
請求項４の考案は、前記ローパワー電熱線をハイパワー電熱線より細い電熱線で構成したことを特徴とする、請求項１記載のラミネータの設定作業温度を維持可能な加熱装置としている。